(57)【要約】【課題】  集塵ユニットを収納ケースに装着しあるいは収納ケースから引き出す際の給電線の接続や取り外しを不用として作業の簡素化を実現する。【解決手段】  集塵ユニット２は、放電雰囲気中に汚染空気を流入させて当該汚染空気中に含まれる粉塵粒子等を帯電させる帯電部２２と、帯電した粉塵粒子等を電極に吸引捕集して清浄空気として流出させる集塵部２３とを備える。集塵ユニットは左右一対が出し入れ可能に収納ケース内に収納され、各集塵ユニット２の左右両側にそれぞれ帯電部２２と集塵部２３に給電する受電端子２５が設けられる。収納ケースには、左右に位置する集塵ユニット２の内側位置に、高圧電源に接続された給電端子５４を設けて、各集塵ユニット２を収納ケース内に装入した際に給電端子５４と、集塵ユニット２の、給電端子５４側に位置する受電端子２５が互いに接触し導通する。【選択図】        図５
2005324151.tif 000002
【特許請求の範囲】
【請求項１】
放電雰囲気中に汚染空気を流入させて当該汚染空気中に含まれる粉塵粒子等を帯電させる帯電部と、帯電した粉塵粒子等を電極に吸引捕集して清浄空気として流出させる集塵部とを備えた集塵ユニットの少なくとも一対を、左右位置に出し入れ可能に収納ケース内に収納してなり、前記各集塵ユニットの左右両側にそれぞれ前記帯電部と集塵部に給電する受電端子を設けるとともに、前記収納ケースには、左右に位置する前記集塵ユニットの内側位置に、高圧電源に接続された給電端子を設けて、前記集塵ユニットを収納ケース内に装入した際に前記給電端子と、前記集塵ユニットの、前記給電端子側に位置する前記受電端子とが互いに接触し導通するようにしたことを特徴とする電気集塵機。
【請求項２】
前記給電端子に接触片を一対形成して、隣り合って位置する各集塵ユニットの受電端子にそれぞれ接触させた請求項２に記載の電気集塵機。
【請求項３】
前記各集塵ユニットの左右両側にそれぞれ第１のアース端子を設けるとともに、前記収納ケースには、左右に位置する前記集塵ユニットの内側位置に第２のアース端子を設けて、集塵ユニットを収納ケース内に装入した際に前記第２のアース端子と、前記集塵ユニットの、前記第２のアース端子側に位置する前記第１のアース端子とが互いに接触し導通するようにした請求項１又は２に記載の電気集塵機。
【発明の詳細な説明】
【技術分野】
【０００１】
本発明は電気集塵機に関し、特に、その給電構造の改良に関する。
【背景技術】
【０００２】
電気集塵機は帯電部と集塵部を備え、帯電部に形成された放電雰囲気中に汚染空気を流入させて当該汚染空気中に含まれる粉塵粒子等を帯電させた後、後段の集塵部にて、帯電した粉塵粒子等を電極板に吸引捕集し、清浄空気として流出させるものである。その構造は例えば、帯電部では、一定間隔で平行に多数の接地された電極を起立配設するとともに、これら電極板の隣り合う極板間に高圧の直流負電圧（例えば−１１ＫＶ）を印加した放電線を設ける。また、集塵部では、一定間隔で平行に多数の電極板を起立配設し、交互に並ぶ電極板のうち、一方の電極板を接地するとともに、他方の電極板に高圧の直流負電圧（例えば−８ＫＶ）を印加する。これにより、上記帯電部で帯電させられた粉塵粒子等が集塵部の電極板に吸引され捕集される。ここで、帯電部や集塵部への電圧供給は従来、例えば特許文献１に見られるように、帯電部等へ電圧を分配するための給電線を、高電圧が供給された共通の接続バーに固定接続することにより行っている。
【特許文献１】特許第３１８５５２６号公報
【発明の開示】
【発明が解決しようとする課題】
【０００３】
ところで、帯電部と集塵部を備えた複数の集塵ユニットを準備して、これら集塵ユニットを出し入れ可能に収納ケース内に装着して必要な能力の電気集塵機を実現するようにすれば、保守や修理を要する時には該当する集塵ユニットのみを収納ケースから引き出して行うことができる。また新たな集塵ユニットとの交換も容易である。さらに、小型から大型の電気集塵機まで、集塵ユニットの数を適宜増減することによって容易に対応することができる。しかし、上記従来の電気集塵機では、集塵ユニットを収納ケースに装着し、あるいは収納ケースから取り外す毎に、接続バーへの給電線の接続および取り外しを行う必要があるため、作業が煩雑になるという問題があった。
【０００４】
そこで本発明はこのような課題を解決するもので、収納ケース内に出し入れ可能に集塵ユニットを装着するようにした電気集塵機において、集塵ユニットを収納ケースに装着しあるいは収納ケースから引き出す際の給電線の接続や取り外しを不用として作業の簡素化を実現した電気集塵機を提供することを目的とする。
【課題を解決するための手段】
【０００５】
上記目的を達成するために、本第１発明では、放電雰囲気中に汚染空気を流入させて当該汚染空気中に含まれる粉塵粒子等を帯電させる帯電部（２２）と、帯電した粉塵粒子等を電極に吸引捕集して清浄空気として流出させる集塵部（２３）とを備えた集塵ユニット（２）の少なくとも一対を、左右位置に出し入れ可能に収納ケース（１１）内に収納してなり、各集塵ユニット（２）の左右両側にそれぞれ帯電部（２２）と集塵部（２３）に給電する受電端子（２４，２５）を設けるとともに、収納ケース（１１）には、左右に位置する集塵ユニット（２）の内側位置に、高圧電源に接続された給電端子（５４）を設けて、集塵ユニット（２）を収納ケース（１１）内に装入した際に給電端子（５４）と、集塵ユニット（２）の、上記給電端子（５４）側に位置する受電端子（２４，２５）とが互いに接触し導通するようにする。
【０００６】
本第１発明において、集塵ユニットを収納ケース内に装入すると、収納ケース側の給電端子と集塵ユニット側の受電端子が互いに接触し導通して、高圧電源が帯電部と集塵部に供給される。集塵ユニットを収納ケースから引き出すと、給電端子と受電端子の接触導通が解消されて、帯電部と集塵部への高圧電源の供給が停止される。本第１発明によれば、集塵ユニットを収納ケースに装着しあるいは収納ケースから引き出す際の給電線の接続や取り外しが不用であるから保守作業等が簡素化される。また、本第１発明においては、集塵ユニットとして同形のものを用意して、これら集塵ユニットを収納ケースの左右いずれの側に収納してもその受電端子が給電端子と接触導通する。したがって、集塵ユニットの製造が容易で作業性に優れているとともに、給電端子を左右の集塵ユニットの内側位置に集約できるから、収納ケース内スペースの有効利用と配線の簡素化が実現される。
【０００７】
本第２発明では、上記給電端子（５４）に接触片（５４２，５４３）を一対形成して、隣り合って位置する各集塵ユニット（２）の受電端子（２４，２５）にそれぞれ接触させる。本第２発明においては、単一の給電端子から二つの集塵ユニットに高圧電源を同時に供給できる。
【０００８】
本第３発明では、上記各集塵ユニット（２）の左右両側にそれぞれ第１のアース端子（２６）を設けるとともに、収納ケース（１１）には、左右に位置する集塵ユニット（２）の内側位置に第２のアース端子（１４）を設けて、集塵ユニット（２）を収納ケース（１１）内に装入した際に第２のアース端子（１４）と、集塵ユニット（２）の、上記第２のアース端子（１４）側に位置する第１のアース端子（２６）が互いに接触し導通するようにする。なお、上記第１のアース端子として集塵ユニットの左右の縁板を利用することができる。
【０００９】
本第３発明においては、集塵ユニットを収納ケース内に装入すると、収納ケース側の第１のアース端子と集塵ユニット側の第２のアース端子が互いに接触し導通させられる。本第３発明によれば、集塵ユニットを収納ケースに装着しあるいは収納ケースから引き出す際のアース線の接続や取り外しが不用であるから保守作業等が簡素化される。
【００１０】
なお、上記カッコ内の符号は、後述する実施形態に記載の具体的手段との対応関係を示すものである。
【発明の効果】
【００１１】
以上のように、本発明の電気集塵機によれば、収納ケース内に出し入れ可能に集塵ユニットを装着するようにした電気集塵機において、集塵ユニットを収納ケースに装着しあるいは収納ケースから取り外す際の給電線の接続や取り外しを不用として作業の簡素化を実現することができる。  
【発明を実施するための最良の形態】
【００１２】
図１には電気集塵機の正面図を示し、図２にはその垂直断面図を示す。電気集塵機１は矩形の収納ケース１１を備えており、当該ケース１１の正面側（図２の左側）には上下二段で左右位置に、取っ手１２１（図１）を有する矩形の扉１２が設けられている。各扉１２は内側ヒンジによる片開き式のもので、枠体に金網を張って構成されている。各扉１２は横桟１２２によって同形の上下の窓部１２３に区画されている。なお、収納ケース１１の裏面側も同様の構造になっている（図２参照）。
【００１３】
収納ケース１１内には各扉１２の窓部１２３に対応させて上下に４列で左右に２列の、合計８個の集塵ユニット２（図２）が収納されている。上下４列の各集塵ユニット２は収納ケース１１の底板１１１上と、上下の三位置に水平に設けられた各受け板１１２上で左右位置に載置されている。集塵ユニット２には下面の四隅に車輪２１が設けられており、裏面の扉１２を開けて、収納ケース１１の後方から底板１１１ないし受け板１１２上へ各集塵ユニット２を押し込んで装入する。
【００１４】
図３には集塵ユニット２の外観を示す。集塵ユニット２は全体が直方体形状をなし、その前端部が帯電部２２になるとともに、残る部分が集塵部２３となっている。帯電部２２と集塵部２３の構造は従来技術で説明したものと同一である。すなわち、帯電部２２には一定間隔で平行に多数の接地された電極板２２１が起立配設され、これら電極板２２１の隣り合う極板間のほぼ中央位置に、高圧の直流負電圧（例えば−１１ＫＶ）が印加される放電線２２２が上下方向へ架設されている。集塵部２３には一定間隔で平行に多数の電極板２３１，２３２が起立配設されており、交互に並ぶ電極板２３１，２３２のうち、電極板２３１は接地され、電極板２３２には高圧の直流負電圧（例えば−８ＫＶ）が印加されている。
【００１５】
ここで本実施形態では、集塵ユニット２の前部両側面（図３の手前側面と向こう側面）の上下端位置と、上下方向の中央位置にそれぞれ受電端子２４，２５が設けられている（図３は手前側面のものを示す）。受電端子２４，２５はそれぞれ矩形平板状のもので、集塵ユニット２の側面に沿って位置し、受電端子２４は帯電部２２の放電線２２２に、受電端子２５は集塵部２３の上記電極板２３２に導通している。ここで、集塵ユニット２の前面左右の縁板２６はアース端子（第１のアース端子）を兼ねている。なお、本実施形態では両側面に設けられる受電端子は同一形状で互いに対称位置に設けられているが、給電端子５４の接触片５４２，５４３に接触可能であれば、必ずしも対称位置に設けられる必要はない。
【００１６】
図２において、収納ケース１１の前端部内には、図１における左右方向の中央位置に、上下方向へ延びる配線ダクト１３が設けられており、この配線ダクト１３内に一端を水平に貫通させて給電碍子５が設けられている。給電碍子５は上下４段に収納された各集塵ユニット２の受電端子２４，２５（図３）に対応させて、それぞれ上下位置に対になって設けられている。このうち、上側三段の給電碍子５は、それぞれ集塵ユニット２の上側受電端子２４と受電端子２５に、最下段の給電碍子５は、集塵ユニット２の下側受電端子２４と受電端子２５に対応させてある。給電碍子５の詳細を図４、図５に示す。各給電碍子５は柱状体で、その中心には、両端を露出させて棒状の給電導体５１が貫設されている。そして配線ダクト１３内に位置する各給電碍子５の給電導体５１の一端５１１には高圧電源に至る給電線５２，５３がそれぞれ接続されている。ここで、給電線５３は−８ＫＶの高圧電源に、給電線５２は−１１ＫＶの高圧電源にそれぞれ至っている。
【００１７】
給電導体５１の他端５１２は図５に示すように左右（図５の上下）に位置する集塵ユニット２の前端部間に延びており、この他端５１２には給電端子５４が設けられている。給電端子５４は一定幅のバネ板材を平面視（図５）で山型に屈曲成形したもので、山型の頂部５４１が給電導体５１の他端５１２に固定されるとともに、頂部５４１からは給電碍子５周囲の前方（図５の左方）へ接触片５４２，５４３が漸次拡開しつつ延びている。そして、各接触片５４２，５４３の先端が左右に位置する集塵ユニット２の受電端子２５にそれぞれ接触し導通している。なお、受電端子２４に対しても、これに対応する給電碍子５に設けた同構造の給電端子５４の接触片５４２，５４３先端が接触し導通している。なお、図２に示すように、配線ダクト１３には上下４段の左右の各集塵ユニット２に対応させて上下方向の四箇所に左右一対の、アース端子（第２のアース端子）としてのアース金具１４が設けられている。アース金具１４は一定幅のバネ板よりなり、図６に示すように、一端がダクト１３の側壁内面に接合され、他端はダクト１３の側壁に設けた開口１３１から収納ケース１１内の後方へ屈曲しつつ延びている。
【００１８】
このような構造において、図７の鎖線で示すように収納ケース１１の上下の各段の左右位置（図７の上下位置）へ、ケース後方（図７の右方）から受け板１１２（ないし底板１１１（図２））上へ各集塵ユニット２を押し込んで装入する。この状態で、配線ダクト１３に設けた給電碍子５の給電端子５４には、左右の集塵ユニット２の左右両側面に設けた受電端子２４，２５のうちで内側に位置するものが接触導通する。これにより、給電線５２，５３によって供給された高電圧が、給電導体５１から給電端子５４を経て、各集塵ユニット２の帯電部２２の放電線２２２と集塵部２３の電極板２３２に供給される。すなわち、受電端子２４，２５と接触していない原形状態の給電端子５４の接触片５４２，５４３は、図５の鎖線で示すように大きく開いている。ここへ、左右両側に位置させる集塵ユニット２を後方（図５、図７の右方）から収納ケース１１内に押し込むと、その過程で給電端子５４の接触片５４２，５４３先端が左右両側に装入された各集塵ユニット２の、内側に位置する受電端子２４，２５に接触してこれを図５の実線で示すような位置まで内方へ変形させる。これにより、給電端子５４の接触片５４２，５４３先端が受電端子２４，２５の板面に弾性的に圧接して両者が確実に導通する。なお、左右の集塵ユニット２を収納ケース１１内へ押し込んだ状態で、配線ダクト１３に設けた各アース金具１４（図２）が各集塵ユニット２の内側に位置する縁板２６に接触導通する。保守や修理のために集塵ユニット２を収納ケース１１内から後方へ引き出すと、受電端子２４，２５と給電端子５４、およびアース金具１４と縁板２６の接触導通は解消される。
【００１９】
このように本実施形態の電気集塵機では、集塵ユニット２を収納ケース１３に装着しあるいは収納ケース１３から引き出す際の給電線５２，５３の接続や取り外しが不用であるから保守作業等が簡素化される。また、各集塵ユニット２の両側に受電端子２４，２５を設けて、これら集塵ユニット２を、配線ダクト１３を中央にしてその左右位置へ収納し、収納時に左右の集塵ユニット２の各内側の受電端子２４，２５がそれぞれ、配線ダクト１３に設けた給電端子５４に接触導通するようにしてある。したがって、集塵ユニット２として左右対称の同形のものを用意すれば、これらを収納ケース１３の左右いずれの側に収納しても受電端子２４，２５が給電端子５４と接触導通するから、集塵ユニット２の製造が容易であるとともに通電作業性にも優れている。そして、給電端子５４を左右の集塵ユニット２で共用できるから、収納ケース１３内のスペースの有効利用と配線の簡素化も実現できる。なお、アース金具１４を二股状にする等によって、これを左右の集塵ユニット２で共用するようにしても良い。
【００２０】
なお、上記実施形態では給電端子を、一対の接触片を有する形状に成形して、左右隣り合う二つの集塵ユニットに同時に給電するようにしたが、単一の接触片のみを有する形状としてそれぞれ一つの集塵ユニットに対して給電するようにしても良い。また、接触片を受電端子側に形成しても良い。さらに、必ずしも接触片を設けて弾性的に接触導通させる構造とする必要はない。集塵ユニットは一対に限らず、二対以上設けても各対に対して本発明を適用することができる。
【図面の簡単な説明】
【００２１】
【図１】本発明の一実施形態を示す電気集塵機の全体正面図である。
【図２】図１のII−II線に沿った垂直断面図である。
【図３】集塵ユニットの斜視図である。
【図４】集塵ユニットへの給電部の拡大側面図で、断面部は図５のIV−IV線に沿ったものである。
【図５】集塵ユニットへの給電部の拡大平面図で、断面部は図４のV−V線に沿ったものである。
【図６】アース金具設置部の垂直断面図である。
【図７】収納ケースの水平断面図である。
【符号の説明】
【００２２】
１...電気集塵機、１１...収納ケース、１４...アース金具、２...集塵ユニット、２２...帯電部、２３...集塵部、２３１...電極板、２４，２５...受電端子、２６...縁板、５...給電碍子、５４...給電端子、５４２，５４３...接触片。
【図１】
2005324151.tif 000003
【図２】
2005324151.tif 000004
【図３】
2005324151.tif 000005
【図４】
2005324151.tif 000006
【図５】
2005324151.tif 000007
【図６】
2005324151.tif 000008
【図７】
2005324151.tif 000009